(57)【要約】【課題】細胞移植における細胞の生着力を増大させて、臓器の十分な修復を図る。【解決手段】患者の心拍数を検出する心拍数検出部５と、刺激開始前の心拍数を記憶する記憶部１０と、細胞が移植された臓器を支配している迷走神経に刺激を与える刺激用電極と、心拍数検出部５により検出された患者の心拍数が、刺激開始前の状態に対して５〜２０％減少するように刺激用電極から迷走神経に出力する刺激信号の強度を制御する制御部７とを備える再生治療装置を提供する。【選択図】図２
2008296014.tif 000002
【特許請求の範囲】
【請求項１】
患者の心拍数を検出する心拍数検出部と、
刺激開始前の心拍数を記憶する記憶部と、
細胞が移植された臓器を支配している迷走神経に刺激を与える刺激用電極と、
前記心拍数検出部により検出された患者の心拍数が、刺激開始前の状態に対して５〜２０％減少するように前記刺激用電極から前記迷走神経に出力する刺激信号の強度を制御する制御部とを備える再生治療装置。
【請求項２】
前記刺激信号が、周波数略１０Ｈｚ、刺激電圧略０．１〜７．５Ｖ、パルス幅略０．４〜３ｍｓｅｃのパルス状である請求項１に記載の再生治療装置。
【請求項３】
前記刺激信号が、前記刺激用電極から間欠的または連続的に出力される請求項１または請求項２に記載の再生治療装置。
【請求項４】
前記刺激信号が、前記刺激用電極から５〜３０秒の連続した刺激期間と残りの非刺激期間とからなる１分間の刺激パターンの繰り返しにより前記刺激用電極から間欠的に出力される請求項１または請求項２に記載の再生治療装置。
【請求項５】
前記刺激信号が、電気刺激信号であり、２相性パルスにより構成されている請求項１から請求項４のいずれかに記載の再生治療装置。
【請求項６】
患者の心拍数を検出する心拍数検出部が作動し、
刺激開始前の心拍数を記憶する記憶部が作動し、
迷走神経を刺激する刺激信号を発生する刺激信号発生手段が作動し、
前記心拍数検出部において検出された心拍数が記憶部に記憶されている心拍数から５〜２０％減少した心拍数となっているか否かを判定する判定部が作動し、
該判定部による判定の結果、心拍数の減少が５％未満の場合には、前記刺激信号発生手段により発生する刺激信号の強度を増大させ、心拍数の減少が２０％を越えた場合には、刺激信号の強度を低下させる制御部が作動する再生治療装置の作動方法。
【請求項７】
前記刺激信号が、周波数略１０Ｈｚ、刺激電圧略０．１〜７．５Ｖ、パルス幅略０．４〜３ｍｓｅｃのパルス状である請求項６に記載の再生治療装置の作動方法。
【請求項８】
前記刺激信号が、間欠的または連続的である請求項６または請求項７に記載の再生治療装置の作動方法。
【請求項９】
前記刺激信号が、５〜３０秒の連続した刺激期間と残りの非刺激期間とからなる１分間の刺激パターンの繰り返しによる間欠的な刺激信号である請求項６または請求項７に記載の再生治療装置の作動方法。
【請求項１０】
前記刺激信号が、電気刺激信号であり、２相性パルスにより構成されている請求項６から請求項９のいずれかに記載の再生治療装置の作動方法。
【発明の詳細な説明】
【技術分野】
【０００１】
本発明は、再生治療装置とその作動方法に関するものである。
【背景技術】
【０００２】
従来、心不全治療における再生医療において、遺伝子導入細胞の移植や細胞移植などの手法が採用されている。
【０００３】
【特許文献１】国際公開第０１／０４８１５１号パンフレット
【特許文献２】国際公開第０４／０４５６６６号パンフレット
【特許文献３】国際公開第０３／０５９３７５号パンフレット
【発明の開示】
【発明が解決しようとする課題】
【０００４】
しかしながら、細胞移植による再生治療においては、移植後の細胞の生着能力が低いために、幹細胞を移植した場合においても臓器の十分な修復を図ることができないという不都合がある。
【０００５】
本発明は上述した事情に鑑みてなされたものであって、細胞移植における細胞の生着を促進して、臓器の十分な修復を図ることができる再生治療装置とその作動方法を提供することを目的としている。
【課題を解決するための手段】
【０００６】
上記目的を達成するために、本発明は以下の手段を提供する。
本発明は、患者の心拍数を検出する心拍数検出部と、刺激開始前の心拍数を記憶する記憶部と、細胞が移植された臓器を支配している迷走神経に刺激を与える刺激用電極と、前記心拍数検出部により検出された患者の心拍数が、刺激開始前の状態に対して５〜２０％減少するように前記刺激用電極から前記迷走神経に出力する刺激信号の強度を制御する制御部とを備える再生治療装置を提供する。
【０００７】
本発明によれば、刺激用電極から迷走神経に刺激を与えることにより、移植細胞の生着率を増大させることができる。この場合に、心拍数検出部により検出された患者の心拍数を、刺激開始前に予め記憶部に記憶しておき、刺激後に検出された心拍数が記憶部に記憶されている刺激開始前の心拍数に対して５〜２０％減少するように制御部が刺激信号の強度を制御することにより、細胞が移植された臓器の修復を促進することができる。
【０００８】
上記発明においては、前記刺激信号が、周波数略１０Ｈｚ、刺激電圧略０．１〜７．５Ｖ、パルス幅略０．４〜３ｍｓｅｃのパルス状であってもよい。
また、上記発明においては、前記刺激信号が、前記刺激用電極から間欠的または連続的に出力されてもよい。
【０００９】
また、上記発明においては、前記刺激信号が、前記刺激用電極から５〜３０秒の連続した刺激期間と残りの非刺激期間とからなる１分間の刺激パターンの繰り返しにより前記刺激用電極から間欠的に出力されてもよい。
また、上記発明においては、前記刺激信号が、電気刺激信号であり、２相性パルスにより構成されていてもよい。電気刺激の場合には、単相性パルスを加えると、組織が一方の電荷に帯電するため、２相性パルスからなる電気刺激信号を加えることにより組織の帯電を防止することができる。
【００１０】
上記発明においては、患者の心拍数を検出する心拍数検出部が作動し、刺激開始前の心拍数を記憶する記憶部が作動し、迷走神経を刺激する刺激信号を発生する刺激信号発生手段が作動し、前記心拍数検出部において検出された心拍数が記憶部に記憶されている心拍数から５〜２０％減少した心拍数となっているか否かを判定する判定部が作動し、該判定部による判定の結果、心拍数の減少が５％未満の場合には、前記刺激信号発生手段により発生する刺激信号の強度を増大させ、心拍数の減少が２０％を越えた場合には、刺激信号の強度を低下させる制御部が作動する再生治療装置の作動方法を提供する。
【００１１】
上記発明においては、前記刺激信号が、周波数略１０Ｈｚ、刺激電圧略０．１〜７．５Ｖ、パルス幅略０．４〜３ｍｓｅｃのパルス状であってもよい。
また、上記発明においては、前記刺激信号が、間欠的または連続的であってもよい。
また、上記発明においては、前記刺激信号が、５〜３０秒の連続した刺激期間と残りの非刺激期間とからなる１分間の刺激パターンの繰り返しによる間欠的な刺激信号であってもよい。
また、上記発明においては、前記刺激信号が、電気刺激信号であり、２相性パルスにより構成されていてもよい。
【００１２】
また、本発明は、臓器に対して細胞を移植し、該細胞が移植された前記臓器を支配している迷走神経を刺激する再生治療方法を提供する。
上記発明においては、前記迷走神経の刺激部位が、迷走神経節または迷走神経枝であることが好ましい。これらの刺激部位に刺激を与えることにより、他の臓器に刺激を与えることなく細胞が移植された臓器に対して選択的に刺激を与えることができ、他の臓器における副作用の発生を防止することができる。
【００１３】
また、上記発明においては、患者の心拍数を検出し、検出された心拍数が所定の心拍数となるように迷走神経の刺激強度を調節することとしてもよい。
この場合に、検出された心拍数が、刺激開始前の状態に対して５〜２０％減少するように刺激強度を調節することが好ましい。
【００１４】
また、上記発明においては、迷走神経の刺激が、周波数略１０Ｈｚ、刺激電圧略０．１〜７．５Ｖ、パルス幅略０．４〜３ｍｓｅｃのパルス状の刺激であることが好ましい。
また、上記発明においては、前記パルス状の刺激が間欠的または連続的に行われてもよい。
【００１５】
また、上記発明においては、前記パルス状の刺激が、５〜３０秒の連続した刺激期間と残りの非刺激期間とからなる１分間の刺激パターンの繰り返しにより間欠的に行われてもよい。
また、上記発明においては、前記パルス状の刺激が、電気刺激であり、２相性パルスにより行われることが好ましい。
【００１６】
また、上記発明においては、前記迷走神経に対して２〜５ｍｍの間隔をあけて、刺激用の正電極と負電極とを配置することが好ましい。電極間隔が近過ぎると刺激を与える範囲が狭くなり過ぎ、遠過ぎると刺激の効率が低下して、多くのエネルギが必要となる。２〜５ｍｍの間隔をあけて配置することによりそのような不都合なく刺激を与えることができる。
【００１７】
また、上記発明においては、前記負電極を、前記正電極よりも前記臓器に近い位置に配置することが好ましい。
このようにすることで、負電極によって発生する迷走神経の興奮を臓器側に伝達し易くすることができ、迷走神経の末端から放出されるアセチルコリンの作用により移植細胞の生着を促進することができる。
【発明の効果】
【００１８】
本発明によれば、細胞移植における細胞の生着を促進して、臓器の十分な修復を図ることができるという効果を奏する。
【発明を実施するための最良の形態】
【００１９】
本発明の一実施形態に係る再生治療装置１とその作動方法について、図１〜図１８を参照して以下に説明する。
本実施形態に係る再生治療装置１は、図１および図２に示されるように、心臓Ａ内部または心臓Ａ外部に配置された生体用電極２と、迷走神経Ｂに配置された刺激用電極３と、生体用電極２から検出した心電信号に基づいて、生体用電極２を介した心臓Ａの刺激および／または刺激用電極３を介した迷走神経Ｂの刺激を制御する制御部４とを備えている。
【００２０】
制御部４は、図２に示されるように、生体用電極２を介して検出した心電信号から拍動を検出する拍動検出部５と、該拍動検出部５により検出された拍動に基づいて心臓Ａの状態を解析する拍動解析部６と、該拍動解析部６による解析結果に応じて刺激信号を生成する刺激信号生成部７と、刺激信号生成部７により生成された刺激信号を刺激用電極３に出力する迷走神経刺激出力部８と、刺激信号生成部７により生成された刺激信号を生体用電極２に出力する心臓刺激出力部９とを備えている。
【００２１】
拍動解析部６は拍動検出部５から送られてきた心臓Ａの拍動の時間情報から、心臓Ａの状態が、正常な状態であるか、異常な状態（徐脈状態、心室細動状態あるいは心室頻拍状態）であるかを判定し、該判定結果に基づいて種々の出力を行うようになっている。
具体的には、拍動解析部６は、心臓Ａが異常な状態である場合には、拍動の時間情報から心臓Ａの状態が徐脈状態、心室細動状態あるいは心室頻拍状態のいずれかであるかを診断するようになっている。
【００２２】
刺激信号生成部７は、診断結果に応じて生体用電極２および／または刺激用電極３に出力する刺激信号を生成するようになっている。
具体的には、刺激信号生成部７は、拍動解析部６において心臓Ａの状態が心室頻拍状態であると判定された場合に、後述する迷走神経刺激出力部８を介して刺激用電極３に出力する電気パルスの仕様を設定し、迷走神経刺激出力部８に対して出力するようになっている。同時に、刺激信号生成部７は心室頻拍の心拍数より速いリズムの電気パルスまたは高エネルギショックを設定し、心臓刺激出力部９を介して生体用電極２に出力するようになっている。
【００２３】
また、刺激信号生成部７は、拍動解析部６において心臓Ａが徐脈状態であると判定された場合に、心臓Ａに正常な心拍と同じ程度のリズムの電気パルスを設定し、心臓刺激出力部９を介して生体用電極２に出力するようになっている。また、心臓Ａが心室細動状態であると判定された場合には、個々にバラバラに収縮している全ての心細胞に、生体用電極２を介して高エネルギの電気ショックを与える除細動パルスを生成するようになっている。
【００２４】
また、刺激信号生成部７は、迷走神経Ｂを刺激する前の心拍数を記憶する記憶部１０に接続されている。刺激信号生成部７は、拍動解析部６によって心臓Ａの状態が正常であると判定された場合には記憶部１０に記憶されている心拍数に基づいて刺激信号を生成するようになっている。
【００２５】
具体的には、刺激信号生成部７は、迷走神経Ｂの刺激後に検出された心拍数が、記憶部１０に記憶されている刺激前の心拍数と比較して、５〜２０％減少しているか否かに応じて刺激信号の強度を決定するようになっている。減少率が５％未満の場合には、刺激信号の強度を増大させ、心拍数が２０％以上減少している場合には、刺激信号の強度を低下させるようになっている。
【００２６】
さらに具体的には、本実施形態に係る再生治療装置１は、図３に示されるフローチャートに従って作動する。
まず、刺激条件の初期値が設定され（ステップＳ１）、刺激を与えない状態で予め定められた時間、心拍数が測定されて記憶部１０に記憶され（ステップＳ２）、次いで、予め定められた刺激強度で迷走神経Ｂの刺激が予め定められた時間だけ行われ（ステップＳ３）、心拍数の変化が監視される（ステップＳ４Ａ，Ｓ４Ｂ）。
【００２７】
心拍数が変化しない場合には、図４に示されるように、パルス電圧が初期値以上であるか否かが判定され（ステップＳ５）、初期値以上ではない場合には、電気パルスの電圧が所定の増分で増大され（ステップＳ６）、ステップＳ２からの工程が繰り返される。パルス電圧が初期値以上である場合には、パルス幅が初期値以上であるか否かが判定される（ステップＳ７）。判定の結果、初期値以上ではない場合には、電気パルスのパルス幅が所定の増分で増大され（ステップＳ８）、ステップＳ２からの工程が繰り返される。
【００２８】
また、パルス幅が初期値以上である場合には、刺激周波数が初期値以上であるか否かが判定される（ステップＳ９）。判定の結果、初期値以上ではない場合には、電気パルスの刺激周波数が所定の増分で増大され（ステップＳ１０）、ステップＳ２からの工程が繰り返される。
【００２９】
刺激周波数が初期値以上である場合には、パルス電圧が最大であるか否かが判定される（ステップＳ１１）。判定の結果、最大ではない場合には、電気パルスの電圧が所定の増分で増大され（ステップＳ１２）、ステップＳ２からの工程が繰り返される。
【００３０】
パルス電圧が最大である場合には、パルス幅が最大であるか否かが判定される（ステップＳ１３）。判定の結果、最大ではない場合には、電気パルスのパルス幅が所定の増分で増大され（ステップＳ１４）、ステップＳ２からの工程が繰り返される。
【００３１】
パルス幅が最大である場合には、刺激周波数が最大であるか否かが判定される（ステップＳ１５）。判定の結果、最大ではない場合には、電気パルスの刺激周波数が所定の増分で増大され（ステップＳ１６）、ステップＳ２からの工程が繰り返される。
【００３２】
刺激周波数が最大である場合には、刺激時間が最大であるか否かが判定される（ステップＳ１７）。判定の結果、最大ではない場合には、刺激時間が所定の増分で延長され（ステップＳ１８）、ステップＳ２からの工程が繰り返される。
また、刺激時間が最大である場合には、アラームが発せられ（ステップＳ１９）、処理が中止される。
【００３３】
迷走神経Ｂに刺激を与えた結果、心拍数が変化した場合には、刺激・非刺激期間について、例えば、１〜５分間の平均心拍数が測定され（ステップＳ２０）、測定された平均心拍数が記憶部１０に記憶されている刺激前の心拍数と比較される。
比較の結果、平均心拍数が、刺激前の心拍数よりも５％以下の変化をしているか否かが判定される（ステップＳ２１）。
【００３４】
判定の結果、変化が５％以下である場合には、図６に示されるように、刺激時間が初期値以上であるか否かが判定される（ステップＳ３６）。判定の結果、初期値以上ではない場合には、刺激時間が所定時間だけ延長され（ステップＳ３７）、ステップＳ２からの工程が繰り返される。
【００３５】
刺激時間が初期値以上である場合には、刺激周波数が初期値以上であるか否かが判定される（ステップＳ３８）。判定の結果、初期値以上ではない場合には、電気パルスの刺激周波数が所定周波数分だけ増大され（ステップＳ３９）、ステップＳ２からの工程が繰り返される。
【００３６】
刺激周波数が初期値以上である場合には、パルス電圧が最大であるか否かが判定される（ステップＳ４０）。判定の結果、パルス電圧が最大ではない場合には、電気パルスのパルス電圧が増大され（ステップＳ４１）、ステップＳ２からの工程が繰り返される。
【００３７】
パルス電圧が最大である場合には、パルス幅が最大であるか否かが判定される（ステップＳ４２）。判定の結果、最大ではない場合には、電気パルスのパルス幅が増大され（ステップＳ４３）、ステップＳ２からの工程が繰り返される。
【００３８】
パルス幅が最大である場合には、刺激周波数が最大であるか否かが判定される（ステップＳ４４）。判定の結果、最大ではない場合には、電気パルスの刺激周波数が所定周波数分だけ増大され（ステップＳ４５）、ステップＳ２からの工程が繰り返される。
【００３９】
刺激周波数が最大である場合には、刺激時間が最大であるか否かが判定される（ステップ４６）。判定の結果、最大ではない場合には、電気パルスの刺激時間が所定時間だけ延長され（ステップＳ４７）、ステップＳ２からの工程が繰り返される。
刺激時間が最大である場合には、アラームが発せられ（ステップＳ４８）、ステップＳ２からの工程が繰り返される。
【００４０】
また、測定された平均心拍数と記憶部１０に記憶されている刺激前の心拍数との比較の結果、平均心拍数が、刺激前の心拍数よりも５％以上変化しているか否かが判定される（ステップＳ２１）。
【００４１】
判定の結果、変化が５％以上の場合には、平均心拍数が、刺激前の心拍数よりも２０％以上変化しているか否かが判定される（ステップＳ３５）。
判定の結果、変化が２０％以上ではない場合には、ステップＳ２０からの工程が繰り返される。
変化が２０％以上である場合には、図５に示されるように、刺激時間が初期値以下であるか否かが判定される（ステップＳ２２）。判定の結果、初期値以下ではない場合には、刺激時間が所定時間だけ短縮され（ステップＳ２３）、ステップＳ２０からの工程が繰り返される。
【００４２】
刺激時間が初期値以下である場合には、刺激周波数が初期値以下であるか否かが判定される（ステップＳ２４）。判定の結果、初期値以下ではない場合には、電気パルスの刺激周波数が所定周波数分だけ縮小され（ステップＳ２５）、ステップＳ２０からの工程が繰り返される。
【００４３】
刺激周波数が初期値以下である場合には、刺激時間が最小であるか否かが判定される（ステップＳ２６）。判定の結果、最小ではない場合には、刺激時間が所定時間だけ短縮され（ステップＳ２７）、ステップＳ２０からの工程が繰り返される。
【００４４】
刺激時間が最小である場合には、刺激周波数が最小であるか否かが判定される（ステップＳ２８）。判定の結果、最小ではない場合には、電気パルスの刺激周波数が所定周波数分だけ縮小され（ステップＳ２９）、ステップＳ２０からの工程が繰り返される。
【００４５】
刺激周波数が最小である場合には、パルス幅が最小であるか否かが判定される（ステップＳ３０）。判定の結果、最小ではない場合には、電気パルスのパルス幅が縮小され（ステップＳ３１）、ステップＳ２０からの工程が繰り返される。
【００４６】
パルス幅が最小である場合には、パルス電圧が最小であるか否かが判定される（ステップＳ３２）。判定の結果、最小ではない場合には、電気パルスのパルス電圧が縮小され（ステップＳ３３）、ステップＳ２０からの工程が繰り返される。
また、パルス電圧が最小である場合には、アラームが発せられ（ステップＳ３４）、処理が中止される。
【００４７】
刺激信号生成部７から迷走神経刺激出力部８を介して出力する電気パルスは、周波数略１０Ｈｚ、刺激電圧略０．１〜７．５Ｖ、パルス幅略０．４〜３ｍｓｅｃとなるように設定されている。また、電気パルスは、連続的に出力することにより不整脈を予防するのに効果的であり、間欠的に出力することにより、移植細胞の生着率を向上させるのに効果的である。
【００４８】
間欠的に出力する場合には、例えば、電気パルスの存在する５〜３０秒間の刺激期間と、残りの電気パルスの存在しない非刺激期間とを含む１分間の刺激パターンを繰り返すようになっている。
さらに、出力する電気パルスは、２相性の電気パルスである。このようにすることで、組織を一方向の電荷に帯電させてしまうことを防止できる。
【００４９】
また、刺激用電極３は、図７に示されるように、迷走神経枝Ｂ１もしくは迷走神経節Ｂ２に配置されることが好ましい。このようにすることで、心臓Ａに対して刺激を与え、他の臓器を刺激しないようにすることができる。なお、迷走神経の基幹部（迷走神経幹）Ｂ３に刺激用電極３を配置してもよい。
【００５０】
迷走神経枝Ｂ１に配置する場合には、刺激用電極３は、２〜５ｍｍの間隔をあけて配置することが好ましい。このようにすることで、刺激を与える範囲を局所的に限定し過ぎず、また、刺激のための電力を効率的に利用して、省電力で効果的な刺激を与えることができる。
【００５１】
また、迷走神経Ｂに配置する刺激用電極３は、正電極（＋）に対して負電極（−）を心臓Ａに近い側に配置することが好ましい。このようにすることで、負電極（−）により迷走神経Ｂに与えられる興奮を心臓Ａ側に伝えやすくすることができる。これにより、迷走神経Ｂに沿って心臓Ａ側に向かって神経の興奮が伝播されると、神経の末端から放出されるアセチルコリンの作用によって、移植細胞の生着が促進され、心臓Ａの修復を迅速に行うことができるという利点がある。
【００５２】
このように、本実施形態に係る再生治療装置１とその作動方法および再生治療方法によれば、副作用を伴うような薬剤投与や危険な遺伝子導入を行うことなく、迷走神経Ｂの刺激により、移植細胞の生着率を改善し、薬剤投与を行った場合と比較してもその生着率を高くすることができる。
【００５３】
すなわち、心臓Ａに間葉系幹細胞を移植した場合には、間葉系幹細胞の生着率を増加させ、心臓Ａの収縮能や拡張能の改善や心臓リモデリングの防止等の間葉系幹細胞の治療効果を増強することができる。特に、迷走神経Ｂの刺激によって間葉系幹細胞のアポプトーシスおよび心臓Ａの炎症および線維化が抑制され、血管新生を誘導することで有益な効果を得ることができる。さらに、心臓Ａに対する細胞移植治療では、細胞移植治療自体の副作用として不整脈が発生する。迷走神経Ｂの刺激によって、細胞移植治療による不整脈の発生が抑制され、有益な効果を得ることができる。
【００５４】
なお、本実施形態においては、臓器としての心臓Ａへの間葉系幹細胞の移植を例示して説明したが、これに限定されるものではなく、肝臓Ｃや膵臓（図示略）のような副交感神経の影響が大きな臓器にも同様に適用することができる。例えば、肝硬変に対する幹細胞移植治療を挙げることができる。
【００５５】
次に、本実施形態に係る再生治療装置１による再生治療方法の効果を実証するためのラットを使用した実施例について、図８〜図１８を参照して説明する。
心筋梗塞ラットにおける骨髄間葉系幹細胞の移植治療に対して、細胞移植を実施した後、心電信号に対応したレベルを算出し、迷走神経の刺激を実施した。比較のため、従来の細胞移植手法を用い、心機能改善効果、移植細胞の生着率、血管新生率を比較した。その結果、各５体の検体に対して明らかな改善効果が見られた。
【００５６】
（具体的方法）
左冠動脈を結紮した１時間後に、緑色蛍光タンパク質（ＧＦＰ）を発現している間葉系幹細胞（５×１０6個）をラット虚血心筋に注射した。その後、４週間にわたって迷走神経刺激（ＶＳ−ＭＳＣ群）または擬似刺激（ＳＳ−ＭＳＣ群）を行った。
【００５７】
迷走神経刺激は無線刺激装置を植え込み行った。刺激強度は心拍数が２０−３０心拍毎分低下するように個々のラットで調節した。他の２群のラットでは、リン酸緩衝生理食塩水（ＰＢＳ）を虚血心筋に注射し、その後迷走神経刺激（ＶＳ−ＰＢＳ群）または擬似刺激（ＳＳ−ＰＢＳ群）を行った。
【００５８】
心筋梗塞作成後、３日目、２週間目、４週間目に心臓超音波検査を行った。心筋梗塞作成後４週間目に心臓カテーテル検査を行い、移植細胞と微小血管密度の組織学的検査のために移植後心臓を取り出した。
【００５９】
（結果）
ＶＳ−ＭＳＣ群の梗塞心筋の内部および周囲では広範な心筋再生と移植した間葉系幹細胞の生着が観察された。拡張末期左室内径（ＬＶＤｄ）はＶＳ−ＭＳＣ群で最も小さく、ＳＳ−ＭＳＣ群とＶＳ−ＰＢＳ群がそれに次いだ。ＬＶＤｄはＳＳ−ＰＢＳ群で最も大きかった（図８）。
【００６０】
収縮末期左室内径（ＬＶＤｓ）はＶＳ−ＭＳＣ群で最も小さく、ＳＳ−ＭＳＣ群とＶＳ−ＰＢＳ群がそれに次いだ。ＬＶＤｓはＳＳ−ＰＢＳ群で最も大きかった（図９）。左室内径短縮率（ＦＳ）はＶＳ−ＭＳＣ群で最も大きく、ＳＳ−ＭＳＣ群とＶＳ−ＰＢＳ群がそれに次いだ。ＦＳはＳＳ−ＰＢＳ群で最も小さかった（図１０）。
【００６１】
左室駆出率（ＬＶＥＦ）はＶＳ−ＭＳＣ群で最も大きく、ＳＳ−ＭＳＣ群とＶＳ−ＰＢＳ群がそれに次いだ。ＬＶＥＦはＳＳ−ＰＢＳ群で最も小さかった（図１１）。
【００６２】
左室収縮末期エラスタンス（Ｅｅｓ）はＶＳ−ＭＳＣ群で最も大きく、ＳＳ−ＭＳＣ群とＶＳ−ＰＢＳ群がそれに次いだ。ＥｅｓはＳＳ−ＰＢＳ群で最も小さかった（図１２）。左室拡張末期圧（ＬＶＥＤＰ）はＶＳ−ＭＳＣ群で最も低く、ＳＳ−ＭＳＣ群とＶＳ−ＰＢS群がそれに次いだ。ＬＶＥＤＰはＳＳ−ＰＢＳ群で最も高かった（図１３）。
【００６３】
心係数（ＣＩ）はＶＳ−ＭＳＣ群で最も大きく、ＳＳ−ＭＳＣ群とＶＳ−ＰＢＳ群がそれに次いだ。ＣＩはＳＳ−ＰＢＳ群で最も小さかった（図１４）。
左室圧陰性１次微分値の最大値（−ｄｐ／ｄｔｍａｘ）はＶＳ−ＭＳＣ群で最も大きく、ＳＳ−ＭＳＣ群とＶＳ−ＰＢＳ群がそれに次いだ。−ｄｐ／ｄｔｍａｘはＳＳ−ＰＢＳ群で最も小さかった（図１５）。
【００６４】
体重で正規化した心室重量（ＶＷ）はＶＳ−ＭＳＣ群で最も小さく、ＳＳ−ＭＳＣ群とＶＳ−ＰＢＳ群がそれに次いだ。ＶＷはＳＳ−ＰＢＳ群で最も大きかった（図１６）。
組織学的検査の半定量的評価では、生着した移植細胞数はＳＳ−ＭＳＣ群よりもＶＳ−ＭＳＣ群で多かった（図１７）。微小血管の密度はＳＳ−ＭＳＣ群よりもＶＳ−ＭＳＣ群で高かった（図１８）。
【００６５】
（結論）
迷走神経刺激は移植した間葉系幹細胞の生着率を増加させ、心臓の収縮能や拡張能の改善や心臓リモデリングの防止といった間葉系幹細胞の治療効果を増強した。これらの迷走神経刺激の有益な効果の一部は、間葉系幹細胞のアポプトーシスを抑制したり、血管新生を誘導したりすることによってもたらされている。
【図面の簡単な説明】
【００６６】
【図１】本発明の一実施形態に係る再生治療装置を示す模式図である。
【図２】図１の再生医療装置の制御部を示すブロック図である。
【図３】図１の再生医療装置を用いた再生治療方法を示すフローチャートである。
【図４】図３に続く再生治療方法を示すフローチャートである。
【図５】図３に続く再生治療方法を示すフローチャートである。
【図６】図３に続く再生治療方法を示すフローチャートである。
【図７】図３の再生治療方法における刺激用電極の配置例を示す模式図である。
【図８】図３の再生治療方法の一実施例におけるラットの心臓の拡張末期左室内径の経時変化を示すグラフである。
【図９】図８と同様のラットの心臓の収縮末期左室内径の経時変化を示すグラフである。
【図１０】図８と同様のラットの心臓の左室内径短縮率の経時変化を示すグラフである。
【図１１】図８と同様のラットの心臓の左室駆出率の経時変化を示すグラフである。
【図１２】図８と同様のラットの心臓の左室収縮末期エラスタンスを示すグラフである。
【図１３】図８と同様のラットの心臓の左室拡張末期圧を示すグラフである。
【図１４】図８と同様のラットの心臓の心係数を示すグラフである。
【図１５】図８と同様のラットの心臓の左室圧陰性１次微分値の最大値を示すグラフである。
【図１６】図８と同様のラットの心臓の体重で正規化した心室重量を示すグラフである。
【図１７】図８と同様のラットの心臓の生着した移植細胞数を示すグラフである。
【図１８】図８と同様のラットの心臓の微小血管の密度を示すグラフである。
【符号の説明】
【００６７】
Ａ  心臓（臓器）
Ｂ  迷走神経
Ｃ  肝臓（臓器）
１  再生治療装置
３  刺激用電極（正電極，負電極）
４  制御部（判定部）
５  拍動検出部（心拍数検出部）
７  刺激信号生成部（制御部）
８  迷走神経刺激出力部（刺激信号発生手段）
１０  記憶部
【図１】
2008296014.tif 000003
【図２】
2008296014.tif 000004
【図３】
2008296014.tif 000005
【図４】
2008296014.tif 000006
【図５】
2008296014.tif 000007
【図６】
2008296014.tif 000008
【図７】
2008296014.tif 000009
【図８】
2008296014.tif 000010
【図９】
2008296014.tif 000011
【図１０】
2008296014.tif 000012
【図１１】
2008296014.tif 000013
【図１２】
2008296014.tif 000014
【図１３】
2008296014.tif 000015
【図１４】
2008296014.tif 000016
【図１５】
2008296014.tif 000017
【図１６】
2008296014.tif 000018
【図１７】
2008296014.tif 000019
【図１８】
2008296014.tif 000020